(57)【要約】      （修正有）【課題】小型化すると共に構成する部材点数を少なくし、構造をシンプルにして、設備費用をおさえ又維持管理がし易い低コストの家庭浴槽用浄化装置を提供する。【解決手段】家庭浴槽用浄化装置は、本体６、吸湯水口８、排湯水口３、フィルター骨材７、フィルター材、水中ポンプ２、排湯水ホース５、流止板９、本体取付具１１、排湯水ホース取付具１５及び電源１から構成され、円筒形状の本体６の外周面の長手方向に取り付けた本体取付具１１によって浴槽内壁面の任意の位置に横型に設置することができ、本体６の端面近くの円周上に複数から成る吸湯水口８が、上方に向けて配設され、その反対側の端面近くの円周上に排湯水口３が開設され、排湯水口３近くの本体６に水中ポンプ２とフィルター骨材７とフィルター材が内蔵される。【選択図】図１
2015150047.tif 000002
【特許請求の範囲】
【請求項１】
本体（６）、吸湯水口（８）、排湯水口（３）、フィルター骨材（７）、フィルター材（１２）、水中ポンプ（２）、排湯水ホース（５）、流止板（９）、本体取付具（１１）、排湯水ホース取付具（１５）及び電源（１）から構成される、家庭浴槽用の浄化装置であって、
円筒形状の本体（６）の外周面の長手方向に取り付けた取付具（１１）によって浴槽内壁面の任意の位置に横型に設置することができ、
本体（６）の端面近くの円周上に複数から成る吸湯水口（８）が、上方に向けて配設され、その反対側の端面近くの円周上に排湯水口（３）が開設され、
排湯水口（３）近くの本体（６）に水中ポンプ（２）とフィルター骨材（７）フィルター材（１２）が内蔵されることを特徴とする家庭浴槽用浄化装置。
【請求項２】
フィルター骨材（７）はフィルター骨材取付口（１７）によって接続アタッチメント（４）の内部に設けられた接続アタッチメントフィルター骨材取付口（１８）によりフィルターに取付けられ、フィルター骨材（７）の周囲にはフィルター材（１２）が巻き付けられ、フィルター材の外径部分と本体（６）の内径部分の間で湯水間層（１３）を形成する、ことを特徴とする請求項１記載の家庭浴槽用浄化装置。
【請求項３】
排湯水口（３）の先端には排湯水ホース（５）が取付けられ、排湯水ホース（５）の先端は対面浴槽壁（ｆ）付近まで延びており、排湯水ホース（５）の先端に取付けられた排湯水ホース取付具（１５）によって浴槽内壁面に排出口の向きを本体（６）の軸方向に平行に取付けることができることを特徴とする請求項１及び２に記載の家庭浴槽用浄化装置
【請求項４】
吸湯水口( ８ )は複数の円形群で構成され、)のそれぞれの前記水口( ８ )内周面全域の縦斜め向に、微細な吸湯水口突起物( １４ )を平行に削設することを特徴とする請求項１乃至３に記載の家庭浴槽用浄化装置。
【請求項５】
複数の円形群から成る吸湯水口（８）の底キャップ側の円周上において、軸に対して直角になるように本体（６）の２倍以上の巾を有する流止板（９）を配設することを特徴とする請求項１乃至４に記載の家庭浴槽用浄化装置。
【請求項６】
本体（６）、フィルター骨材（７）、フィルター材（１２）、水中ポンプ（２）の各部材は接着剤等を使用しないで構成されており全ての部材が組み付け組みはずしをすることが出来ることを特徴とする請求項１及び２に記載の家庭浴槽用浄化装置。
【発明の詳細な説明】
【技術分野】
【０００１】
本発明は、浴槽表面の湯水面に浮遊する皮脂垢等の汚れと浴槽湯水内の皮脂垢もともに除去することができ、皮膚疾患に悩む家族にも好影響をもたらす家庭浴槽用浄化装置に関するものである。
【背景技術】
【０００２】
従来家庭浴槽用浄化装置は浮遊浄化器と据付循環浄化器に大別されるが、浮遊浄化装置は動力を使わないものや（特許文献１）、１．５Vの微弱電モーターでスクリューや回転翼で湯水を流動させ水面の垢のみを除去するもが開示されている（特許文献２、３）。
【０００３】
浮遊浄化装置を湯水面に浮かせる為の構造が必要であり、又電源を内蔵しているため高温多湿環境中での電源部の腐食や浸水を防ぐ為の本体構造を複雑でより緻密なものにしなくてはならない。
【０００４】
さらに、浮遊式浄化装置は自分で湯水面に浮遊した皮脂垢を集める事が出来ないため浮遊した垢の有る方に利用者が手で浮遊式浄化器本体を移動しなければならない。また、浮遊浄化装置を湯水面に浮かせる為、中層部や下層部の皮脂垢の除去が困難なために再利用も難しい。
【０００５】
据付循環浄化装置では浴槽の底部から吸水し浄水器を通して浴槽内に排湯水するものであり、浴槽内全体の湯垢を効率よく捕捉する点では問題がある（特許文献４）。
【０００６】
据付循環式は湯水中に溶け出した皮脂垢を浄化するのみで、湯水面に浮いた垢は除去することができないことと、吸水口と排水口が浴槽内の同じ側面にあるため排水口から出た浄化された湯水を再度吸い込んでしまい浄化効率の低下につながる。
さらにレジオネラ症防止対策のための工事費や装置の維持管理も必要で高額であり家庭への負担が大きいとともに、外式の循環濾過装置を設置すると設備費用コスト共に高額なものになる。
【先行技術文献】
【特許文献】
【０００７】
【特許文献１】特開２００８−８６７３０号公報
【特許文献２】特開平１１−３３３４７１号公報
【特許文献３】特開平１１−１５１１７４号公報
【特許文献４】特開平１０−７６１１５号公報
【発明の概要】
【発明が解決しようとする課題】
【０００８】
人が入浴した際、皮脂垢は湯水より比重が軽く湯水表面と上層部に集中しやすいが、皮脂垢は湯水に溶けやすいため湯水中にも多くの皮脂垢が存在している。
又、入浴後ボイラーを切ると湯水の温度低下とともに今まで湯水に溶けていた皮脂垢が湯水中の下層部に集中してくるために、湯水面と上層部のみならず下層部の皮脂垢も除去する必要がある。
【０００９】
湯水表面に浮遊した皮脂垢と湯水に溶け出した皮脂垢も効果的に吸水口に集め本体に吸引浄化し、浴槽内各部の皮脂垢の状態に合わせた湯水の浄化が必要である。家庭浴槽用浄化器内部においては、フィルターが目詰まりを起こしにくくなる構造にすることにより最適状態の湯水の浄化を長時間継続させるとともに、皮脂垢が吸水口に効果的に集め吸引浄化出来るような湯水渦と湯表面循環流を浴槽内に発生させるための構造にする必要がある。
【００１０】
家庭浴槽用浄化器を小型化すると共に構成する部材点数を少なくし、構造をシンプルにして、設備費用をおさえ又維持管理がし易い低コストのものが必要である。
【課題を解決するための手段】
【００１１】
家庭浴槽用浄化器（ｂ）の形状は全体として円筒形であり、本体（６）側面の円周上に取り付けた複数の本体取付具（１１）によって浴槽内壁面の任意の位置に横型に配置される。
底キャップ（１０）側の端面近くの円周上に吸湯水口（８）が、本体取付具（１１）に対してほぼ９０度の角度で上方に向けて配置され、底キャップ（１０）の反対側の端面近くの円周上に排湯水口（３）が開設される。
水中ポンプ（２）は排湯水口（３）近くの本体（６）に内蔵され、その吸入口は接続アタッチメント（４）に連通し、その排出口は排湯水口（３）と連通して設置される。
接続アタッチメント（４）のフィルター骨材取付口（４１）にはフィルター骨材（７）が取付けられ、フィルター骨材（７）の周囲にはフィルター材（１２）が巻き付けられ、フィルター材の外径部分と本体（６）の内径部分で形成される空間は、吸湯水口（８）から吸引された湯水が滞溜する湯水間層（１３）を形成する。
吸湯水口（８）から湯水と共に吸引された皮脂垢は湯水間層（１３）で滞溜した後フィルター材（１２）で浄化され、浄化後の浄湯水はフィルター骨材（７）のフィルター内湯水間層（１４）を通り水中ポンプ（２）を経て排湯水口（３）から排水される。
【００１２】
この湯水間層（１３）の形成によって湯水がフィルター材（１２）の周囲から均等に浸透して網目状の中空円筒形状のフィルター内湯水間層（１４）を通り排湯水口（３）から排出されることにより、フィルター材（１２）の局部的な目詰まりを防止して好適な湯水の循環を実現すると共に、湯水間層（１３）を作り、そこを湯水が通る事で、本体（６）吸湯水口（８）の外周部に、空気の巻き込みを発生させない整流の湯水渦流を発生させる。
【００１３】
排湯水口（３）の先端には排湯水ホース（５）が取付けられており、排湯水ホース（５）の先端は対面浴槽壁付（ ｆ ）近まで延びており、排湯水ホース（５）の先端に取付けられた排湯水ホース取付具（１５）によって浴槽内壁面に排出口の向きを本体（６）の軸方向に平行に取付けられる。
このとき先端の向きを本体（６）の軸方向に水平且つ平行に取付けることにより、浴槽内に一定方向に循環する表面湯水流を発生させることが出来る。
【００１４】
湯水渦流（図１２）の発生には、吸湯水口（８）の数を水中ポンプ（２）の容量に合わせて複数個とし、例えば図１に示すような配置とし、更に各吸湯水口（８）の内径周面に沿って多数の吸湯水口突起物（１４）を付設すると共に、この湯水間層（１３）の形成によって水圧差、抵抗などの諸要因によって湯水渦流（図１２）ができる。
【００１５】
本、家庭浴槽用浄化装置( ｂ )は全ての部材を接着剤等を使用せずに組み付け組み外しが出来るはめ込み式とすることで、水中ポンプ( ２ )に接続アタッチメント( ４ )、  接続アタッチメント( ４ )には本体( ６ )とフィルター骨材 ( ７ )を接続し本体( ６ )には底キャップ( １０ )を接続し水中ポンプ( ２ )に排湯水ホース（５）を取り付る。
【００１６】
段落００１２に記載したように、浴槽内には一定方向に循環する表面湯水流が発生し、その流れに乗ってきた皮脂垢が吸湯水口（８）に近ずいて来る。皮脂垢が吸湯水口（８）を通過してしまわないように且つ効率良く皮脂垢を吸引するために、吸湯水口（８）の下流側の本体（６）の外周面上に湯水面に浮遊した皮脂垢を滞留させる、流止板（９）を図１、図２に例示するように取付ける
【００１７】
本体( ６ )には取付具（１１）を付け家庭浴槽用浄化器( ｂ )が浴槽内壁面の任意場所に自由に固定できる様に、図８に例示するように取付けることが可能。
【発明の効果】
【００１８】
湯水間層( １３ )と吸湯水突起物( １４ )を設けた吸湯水口( ８ )により湯水渦流が吸湯水口( ８ )に発生させ、従来技術では取り除く事が難しかった、湯水表面に浮遊した皮脂垢を効果的に吸湯水口( ８ )に集め本体( ６)に吸引し取り除く事が出来る。
【００１９】
湯水間層（１３）の形成によって湯水がフィルター材（１２）の周囲から均等に浸透してフィルター骨材（７）のフィルター内湯水間層（１４）を通り排湯水口（３）から排出されることにより、フィルター材（１２）の局部的な目詰まりを防止する事で、吸引力の低下防止と長時間の使用可能と成り浄化能力の向上。
【００２０】
排湯水( ｄ )する方向を保つた排湯水( ｄ )は浴槽湯水の混水を防ぎ浄化能力向上と表面循環流を発生させその流れに皮脂垢を乗せて吸湯水口( ８ )に導き流止板( ９ )が皮脂垢を吸湯水口( ８ )で滞留させるので、利用者が手で浮遊した皮脂垢の有る方に家庭用浄化装置本体( ｂ )を移動しなくてもよい。
【００２１】
本体( ６ )に付けた、本体取付具( １１ )より浴槽水内の皮脂垢の状態に合わせた任意な所に移動設置可能となり浴槽水の温度や時間の経過で浴槽下層部に集中した皮脂垢にも対応でき浄化能力の向上。
【００２２】
全ての部材が組み付け組みはずしが出来るはめ込み式にした為、浄化装置( ｂ )の分解清掃並びフィルター骨材（７）とフィルター ( １２ )も簡単に交換する事が容易であり、シンプルな構造にして低コストとすることが可能となる。
【図面の簡単な説明】
【００２３】
【図１】図１は      平面図
【図２】図２は      側面図
【図３】図３は      内部構造図
【図４】図４は      吸湯水口図
【図５】図５は      部材図
【図６】図６は      設置湯水流図（水面直下に設置）
【図７】図７は      設置湯水流図（中層部に設置）
【図８】図８は      設置湯水流図（下層部に設置）
【図９】図９は      設置湯水流図（上面から）
【図１０】図１０は  設置湯水流図（内部）
【図１１】図１１は  設置湯水流図（側面）
【図１２】図１２は  設置湯水流図（吸湯水口）
【発明を実施するための形態】
【００２４】
図５、家庭浴槽用浄化器（ｂ）は本体（６）と水中ポンプ（２）及びフィルター骨材（７）、接続アタッチメント（４）、底キャップ（２）、排湯水ホース（５）、フィルター材（１２）、計７材で構成する。
【００２５】
以下、実施の形態について図面を参照し詳細に説明する。
図１、図２、図５、本体（６）は直径５５ｍｍ長さ１５０ｍｍの円筒形状で本体（６）側面に直径１０ｍｍ吸湯水口（８）６個を設け反対側９０度の位置に本体取付具（１１）を取り付ける。これにより吸盤（１１）で浴槽（ｅ）に設置した場合に吸湯水口（８）が真上を向く。
【００２６】
図１、図２、図５、接続アタッチメント（４）は直径５５ｍｍ長さ４０ｍｍ円筒形状で水中ポンプ（２）とフィルター骨材（７）、本体（６）をつなぐ役割を果たす。
【００２７】
図１、図２、図５、図１０、フィルター骨材（７）は直径１６ｍｍ長さ１３０ｍｍの粗い網目状の中空円筒形状でその外部にはフィルター材（１２）が巻かれそのフィルター材（１２）を通って浄化された湯水がその中空内部を通って水中ポンプ（２）によって吸い込まれる。
【００２８】
図１、図４、図５、水中ポンプ（２）の排水口（３）には排湯水（ｄ）で湯水面（ｃ）に流れが出来るように、排湯水ホース（５）を取り付ける。
【００２９】
図１１、図６、家庭浴槽用浄化器（ｂ）を水面直下に設置し湯水面（ｃ）に浮遊した皮脂垢を浄化する場合は湯水面（ｃ）から３ｍｍ〜１２ｍｍ下がった所に吸湯水口（８）が真上を向くよう設置する。
【実施例】
【００３０】
図６は湯水面浮遊した皮脂垢と表層部の皮脂垢を湯水渦を使って家庭浴槽用浄化装置( ｂ )に吸引し、浄化するように設置した物である。
【００３１】
図７は人が入浴し水面が上昇し上層部から中層部の皮脂垢を浄化するように設置した物である
【００３２】
図８は全員が入浴後、時間の経過と湯温低下により皮脂垢が下層部に集中し、その皮脂垢を浄化するように下層部に設置した物である
【００３３】
図９は排湯水で湯水面全体に湯表面循環流を発生させ、その湯表面循環流に乗って浮遊した皮脂垢が家庭浴槽用浄化器（ｂ）の吸湯水口（８）に集まって来て、流止板によって、皮脂垢を滞留させる。
【００３４】
図１０は吸湯水口（８）から吸引された湯水をフィルター材（１２）を通過して浄化されて排湯水（ｄ）される家庭浴槽用浄化器（ｂ）内部の湯水の流れ。（平面図）
【００３５】
図１１は吸湯水口（８）から吸引された湯水をフィルター材（１２）を通過して浄化されて排湯水（ｄ）される家庭浴槽用浄化器（ｂ）内部の湯水の流れ。（断面図）
【００３６】
図１２は本体（６）に設けた吸湯水口（８）に発生させた湯水渦流。
【符号の説明】
【００３７】
１     電源コード  
２     水中ポンプ  
３     排湯水口  
４     接続アタッチメント  
５     排湯水ホース
６     本体
７     フィルター骨材
８     吸湯水口
９     流止板
１０   底キャップ
１１   本体取付具
１２   フィルター材
１３   湯水間層
１４   フィルター内湯水間層
１５   吸湯水口突起
１６   排湯水ホース取付具
１７   フィルター骨材取付口
１８   接続アタッチメントフィルター骨材取付口
ａ        電源コード
ｂ        家庭浴槽用浄化装置
ｃ        湯水面
d         排湯水
e         浴槽
ｆ         対面浴槽壁
【図１】
2015150047.tif 000003
【図２】
2015150047.tif 000004
【図３】
2015150047.tif 000005
【図４】
2015150047.tif 000006
【図５】
2015150047.tif 000007
【図６】
2015150047.tif 000008
【図７】
2015150047.tif 000009
【図８】
2015150047.tif 000010
【図９】
2015150047.tif 000011
【図１０】
2015150047.tif 000012
【図１１】
2015150047.tif 000013
【図１２】
2015150047.tif 000014